(57)【要約】【課題】見た目にも優れたスタンド機能を付加することにより、カタログカードを写真立てに適用することが可能となるスタンド機能付きカタログセットを提供することにある。【解決手段】バインダ手段を備えた背表紙にバインダ手段を介して袋状透明シートを配設し、袋状透明シートを背表紙の両側に設けた表紙で挟んだカタログファイルと、上部に蓋部を設けて見開き開閉可能なカタログファイルの収納空間を設けた外箱とを有し、かつ、上記蓋部の裏側のほぼ中程と外箱の１辺とにリンク材の両端をそれぞれ首振り可能に連結するとともに、当該リンク材を収納するために外箱の上端に切欠きを形成して、上記蓋部を持ち上げて外箱の１辺を中心としてリンク材を起立させ、その上で蓋部をリンク材に対して所定の角度をなすよう傾斜させて上記切欠きの段差に蓋部の先端を係合させるようにしたことを特徴とするスタンド機能付きカタログセット。【選択図】  図６
2006137164.tif 000002
【特許請求の範囲】
【請求項１】
バインダ手段を備えた背表紙にバインダ手段を介して袋状透明シートを配設し、袋状透明シートを背表紙の両側に設けた表紙で挟んだカタログファイルと、上部に蓋部を設けて見開き開閉可能なカタログファイルの収納空間を設けた外箱とを有し、かつ、上記蓋部の裏側のほぼ中程と外箱の１辺とにリンク材の両端をそれぞれ首振り可能に連結するとともに、当該リンク材を収納するために外箱の上端に切欠きを形成して、上記蓋部を持ち上げて外箱の１辺を中心としてリンク材を起立させ、その上で蓋部をリンク材に対して所定の角度をなすよう傾斜させて上記切欠きの段差に蓋部の先端を係合させるようにしたことを特徴とするスタンド機能付きカタログセット。
【請求項２】
蓋部が、その先端に外箱の側面に沿って延びる垂直片を備え、この垂直片を外箱の側面との間で永久磁石により吸着させるようにしたことを特徴とする請求項１に記載のスタンド機能付きカタログセット。
【請求項３】
リンク材が、蓋部の基端から延長した連結片を折り曲げて蓋部に沿って配設した上、この連結片にリンク材を接続することにより、リンク材と蓋部とを一体的に形成したことを特徴とする請求項１または２に記載のスタンド機能付きカタログセット。
【発明の詳細な説明】
【技術分野】
【０００１】
この発明は、冠婚葬祭や、その他のイベント等に関連してギフトを送られる受取人が、カタログに掲載された複数の商品の中から所望の商品を選ぶ、いわゆるカタログギフトのカタログとして使用されるスタンド機能付きカタログセットに関するものである。
【背景技術】
【０００２】
近年、結婚祝いのお返し等のために使用されるギフトとして、ギフトを贈る贈与人が商品を選ぶのではなく、ギフトを贈られる受取人がカタログに掲載された複数の商品の中から所望の商品を選ぶ、いわゆるカタログギフトが盛んに用いられるようになってきている。
【０００３】
このカタログギフトとは、以下のような仕組みになっている。ギフトの代行店は、複数の商品及びこれらのギフトに対応する商品番号が記載されたカタログを、各予算や目的等に応じて複数用意している。また、このカタログには、商品番号を記載してギフトの代行店に申し込む申し込み用の葉書が添付されている。
したがって贈与人は、予算や目的に応じたカタログを選択するだけでよく、受取人には、前記選択されたカタログが配布される。受取人は、この配布されたカタログに掲載されている複数の商品の中から所望の商品を選択した上、選択した商品に対応する商品番号を添付されている申し込み用葉書に記載して、この葉書をギフトの代行店に郵送する。ギフトの代行店が申し込み用葉書を受領すると、受取人が選択したギフトをこの受取人に送付するのである。これにより、受取人には、所望の商品が贈られることとなる。
【０００４】
上述のようなカタログギフトで使用されるカタログとしては、従来、複数の商品及びこれらのギフトに対応する商品番号が記載された小冊子（例えば中綴じ本）からなるカタログや、複数の商品及びこれらのギフトに対応する商品番号が夫々記載されたカタログカードを箱に収容してなるカタログ等が知られている。
【０００５】
しかしながら、カタログギフトで使用される従来のカタログは、受取人が商品を選択した時点で不要となり破棄されてしまうのが普通である。したがって、受取人は、商品を受け取って期間が経過すると、その商品は誰から贈られた商品か、つまり、誰の結婚式に出席して贈られた物かを忘れてしまうことが多い。
また、カタログギフトでは、紙に印刷されたカタログのみが贈られるため、贈与人の気持ちやあたたかさが受取人に伝わりに難いという問題がある。一方、贈与人が自らのセンスでギフトを選択すると、受取人側としてはせっかく贈与されても不要であるという場合がある。
【０００６】
そのため、特許第３０９８２９６号公報（特許文献１参照）に記載されたカタログギフト式アルバムが提案されている。
上記カタログギフト式アルバムは、表表紙、背表紙、及び裏表紙を有する表紙と、前記表紙に綴じられた複数の透明袋体と、商品及びこの商品に対応する商品番号が夫々掲載され、前記複数の透明袋体内に夫々取り出し可能に収容された複数のカタログカードと、所望の商品番号を記載して申し込む申し込み用葉書とを具備したものである。
【０００７】
上記カタログギフト式アルバムによれば、商品及びこの商品に対応する商品番号が夫々掲載されてなる複数のカタログカードが、表紙に綴じられた複数の透明袋体内に収容されている。そのため、複数の商品の中から所望の商品を選択する際は、表紙に綴じられた透明袋体をめくることでカタログカードを容易に閲覧することができる。
また、商品を選択した後には、透明袋体から各カタログカードを取り出し、この透明袋体に、所望の写真、葉書、年賀状、名刺、カード、或いは、新聞・雑誌の切り抜きスクラップ等を収容させることで通常のアルバム或いはスクラップブックとして使用することもできる。
【特許文献１】特許第３０９８２９６号公報
【発明の開示】
【発明が解決しようとする課題】
【０００８】
また、前記したカタログギフト式アルバムにあっては、背表紙の長手方向を設置面と直交させるように配置した状態で、表紙を前記設置面に自立可能に形成している。したがって、写真立てとしても使用することができる。
しかしながら、上述のように背表紙の長手方向を設置面と直交させるように配置した状態で、表紙を前記設置面に自立可能に形成しているだけであって非常に不安定であり、到底見た目にも好ましいスタンドとはいえないのが実情であった。
この発明は上記した事情のもとになされたものであり、その目的とするところは、外箱に見た目にも優れたスタンド機能を付加することにより、外箱を写真立てに適用することが可能となるスタンド機能付きカタログセットを提供することにある。
【課題を解決するための手段】
【０００９】
上記した目的を達成するために、この発明のスタンド機能付きカタログセットは、バインダ手段を備えた背表紙にバインダ手段を介して袋状透明シートを配設し、袋状透明シートを背表紙の両側に設けた表紙で挟んだカタログファイルと、上部に蓋部を設けて見開き開閉可能なカタログファイルの収納空間を設けた外箱とを有し、かつ、上記蓋部の裏側のほぼ中程と外箱の１辺とにリンク材の両端をそれぞれ首振り可能に連結するとともに、当該リンク材を収納するために外箱の上端に切欠きを形成して、上記蓋部を持ち上げて外箱の１辺を中心としてリンク材を起立させ、その上で蓋部をリンク材に対して所定の角度をなすよう傾斜させて上記切欠きの段差に蓋部の先端を係合させるようにしたことを特徴とするものである。
【００１０】
この発明のスタンド機能付きカタログセットは、上記蓋部が、その先端に外箱の側面に沿って延びる垂直片を備え、この垂直片を外箱の側面との間で永久磁石により吸着させるようにしたことをも特徴とするものである。
【００１１】
この発明のスタンド機能付きカタログセットは、上記リンク材が、蓋部の基端から延長した連結片を折り曲げて蓋部に沿って配設した上、この連結片にリンク材を接続することにより、リンク材と蓋部とを一体的に形成したことをも特徴とするものである。
【発明の効果】
【００１２】
この発明によれば、商品選択後も外箱が種々の収納ケースとして使用できることはもちろん、外箱をフォトスタンド（写真立て）にすることが可能となるスタンド機能付きカタログセットが得られるようになった。
【発明を実施するための最良の形態】
【００１３】
以下、この発明の実施の一形態を図１から図４を参照しながら詳細に説明する。
図１はこの発明のスタンド機能付きカタログセットに使用されるカタログファイルの斜視図、図２は表紙を開いた状態のカタログファイルの斜視図、図３はこの発明のスタンド機能付きカタログセットの１実施例を示す外箱の平面図、図４は蓋部を途中まで開いた状態の側面図、図５は蓋部を立ち上げた位置の直前まで開いた状態の側面図、図６は蓋部を立ち上げ位置にセットした状態の側面図、図７はその斜視図である。
【００１４】
この発明のスタンド機能付きカタログセットに使用されるカタログファイルを説明するための図１および図２において、カタログファイル１は、バインダ手段を具備した背表紙１０にバインダ手段１１を介して多数の袋状透明シート１２を配設し、その両側に表紙１３，１３を配設したものである。ちなみにこのようなバインダ手段１１を介して多数の袋状透明シート１２を綴じたものは、いわゆる「クリアファイル」あるいは「クリアブック」として市販されているものと同様の形態を備えている。
したがってカタログカード等は、上記袋状透明シート１２に収納されており、使用後はこれを抜き取って、袋状透明シート１２に葉書、年賀状、名刺、カード、あるいは、新聞・雑誌の切り抜きスクラップ等を収納することにより、カタログファイル１をスクラップブック等として使用することができる。
【００１５】
上記バインダ手段としては、図２に示すようにコ字状断面の保持金具２１に長ボルト２２を挿通してナット（図示せず）で抜け止めしたものが望ましい。そして、コ字状断面の保持金具２１に多数の孔開き透明シート１２をはめ込み、保持金具２１および透明ポケット部１２の取付孔に長ボルト２２を挿通して、ナットで固着して抜け止めするのである。２３は長ボルト２２およびナットの目隠しシートである。
【００１６】
また上記表紙１３，１３の一方もしくは双方には、表紙１３とほぼ同形状の窓付きフラップ２４を背表紙（バインダ手段）を臨む側が自由端となるように開閉自在に取付けて構成してある。したがって、上記フラップ２４の窓２５に対応する表紙１３の面に結婚式を挙げるカップルの写真等を貼付してフラップ２４を閉じることにより、結婚式を挙げるカップルの前撮り写真等が窓２５から見ることができるようになり、表紙１３，１３にカタログファイル１の内容物の表示機能を持たせることができるようになる。
【００１７】
図３ないし図７は、上記カタログファイル１を収納する外箱２を示すものである。上記外箱２は箱状に形成されていてカタログファイル１の収納空間３１を有し、上部に蓋部３２を設けて見開き開閉可能としたものである。
上記収納空間３１の高さ寸法は背表紙の幅と略同程度に形成してあり、蓋部３２を閉じ合わせることにより箱体状を呈するので、カタログファイル１を容易に携帯あるいは包装可能な状態にすることができる。
上記蓋部３２はその裏側のほぼ中程に板状のリンク材３３の１辺が、また外箱２の１辺にリンク材３３の他辺がそれぞれ首振り可能に連結され、このリンク材３３を収納するために外箱２の上端には切欠き３４を形成してある。
【００１８】
したがって、図４のように上記蓋部３２を持ち上げて外箱２の１辺を中心としてリンク材３３を起立させ、その上で図５のように蓋部３２をリンク材３３に対して所定の角度をなすよう傾斜させて、図６および図７のように上記切欠き３４の段差３５に蓋部３２の先端を係合させることにより、上記蓋部３２を外箱２の上にフォトスタンドのような形態において立ち上げることができる。
【００１９】
図において３６は外箱２の蓋部３２に形成した窓であり、蓋部３２を２重構造としてその間隙に結婚式場やホテル、レストラン等の広告物を差し込んで、上記窓３６位置にセットすることにより、外箱２にどこの結婚式場やホテル、レストラン等で結婚式を挙げたかを表示させることができる。
なお、結婚式場やホテル、レストラン等の広告物を絵葉書として、その裏面にアンケートやお礼の言葉等を記入できるようにしてもよい。
以上のようにすると、必要に応じて結婚式場やホテル、レストラン等の広告物に代えて好みの写真等を選択的に上記窓３６位置にセットして飾ることができ、他の写真等と交換する場合にも簡単に交換することができる。
【００２０】
なお、上記リンク材３３は、蓋部３２の基端側から延長した連結片３７を折り曲げて蓋部３２に沿って貼付するとともに、この連結片３７に上記リンク材３３の１辺を接続することにより、リンク材３３と蓋部３２とを一体的に形成することができ、またリンク材３３の他辺と外箱２の１辺とをも連設すれば、外箱２と蓋部３２とを極めて簡単に製作することができる。
【００２１】
なお、図においては蓋部３２が、さらにその先端に外箱２の側面に沿って延びる垂直片３８を備えている。その上で、この垂直片３８を外箱２の側面との間で永久磁石３９により吸着させるようにしてあるので、蓋部３２で外箱２上部を確実に閉じることができる。
図示した上記永久磁石３９は、その一方を鉄片等の磁性体とすることも可能である。
もちろん、蓋部３２で外箱２とを接離自在とする構造としては、永久磁石にとどまらず一対のボタンホックを用いたり、面ファスナなどを使用しても良く、適宜選択の上で使用される。
【産業上の利用可能性】
【００２２】
以上説明したように、この発明によれば、スタンド機能付きカタログセットとして構成したことにより葉書、年賀状、名刺、カード、あるいは、新聞・雑誌の切り抜きスクラップ等を収納するための、スクラップブック等として利用することも可能である。
【図面の簡単な説明】
【００２３】
【図１】この発明のスタンド機能付きカタログセットに使用されるカタログファイルの斜視図である。
【図２】表紙を開いた状態のカタログファイルの斜視図である。
【図３】この発明のスタンド機能付きカタログセットの１実施例を示す外箱の平面図である。
【図４】蓋部を途中まで開いた状態の側面図である。
【図５】蓋部を立ち上げた位置の直前まで開いた状態の側面図である。
【図６】蓋部を立ち上げ位置にセットした状態の側面図である。
【図７】その斜視図である。
【符号の説明】
【００２４】
１  カタログファイル
２  外箱
１０  背表紙
１１  バインダ手段
１２  袋状透明シート
１３，１３  表紙
２１  保持金具
２２  長ボルト
２３  目隠しシート
２４  窓付きフラップ
２５  窓
３１  収納空間
３２  蓋部
３３  リンク材
３４  切欠き
３５  段差
３６  窓
３７  連結片
３８  垂直片
３９  永久磁石
【図１】
2006137164.tif 000003
【図２】
2006137164.tif 000004
【図３】
2006137164.tif 000005
【図４】
2006137164.tif 000006
【図５】
2006137164.tif 000007
【図６】
2006137164.tif 000008
【図７】
2006137164.tif 000009